【手続補正書】
【提出日】平成21年10月9日(2009.10.9)
【手続補正１】
【補正対象書類名】特許請求の範囲
【補正対象項目名】全文
【補正方法】変更
【補正の内容】
【特許請求の範囲】
【請求項１】
それぞれが複数のセルを含む１つまたは２つ以上のスプレッドシートのデータを監視および監査するためのシステムであって、スプレッドシートデータ（２０）を含むファイルを格納し得るファイルストア(１０、１４)を備え、
前記システムは、さらにデータベース(２６)と、監視手段(２２)とを備え、該監視手段は前記ファイルストア内のスプレッドシートデータの変更を検出し、その変更を前記データベースに記録するようにし、
前記監視手段は、最新のバージョン内の各セルと前バージョン内の対応するセルを比較するとともに、セルの内容が変更されたと判断された場合に、変更の性質を分類するデータを含んだ記録を作成することによって、前記ファイルストア内の最新のバージョンのファイルを以前のバージョンのファイルと比較するようにして、前記データベースが変更の履歴を含み、前回のスプレッドシートの状態を再現可能なようにした比較手段を備えたことを特徴とするシステム。
【請求項２】
前記変更の性質は：データ追加、データ変更、データ削除、関数追加、関数変更、関数削除、データから関数へ、関数からデータへ、セルエラー、関数再計算、スクリプト変更、外部参照変更、指定範囲変更、リンク変更、パスワード変更、シート追加、シート削除、シート名称変更、スプレッドシート名称変更、スプレッドシート削除、スプレッドシート追加、のうちの１つまたは２つ以上として分類されていることを特徴とする請求項１に記載のシステム。
【請求項３】
前記記録には、変更がなされた時間を示すタイムスタンプが含まれていることを特徴とする請求項１または２に記載のシステム。
【請求項４】
前記記録には、変更をしたユーザーを特定するデータが含まれていることを特徴とする請求項１乃至３のいずれかに記載のシステム。
【請求項５】
監視対象のファイルは、前記比較手段によって処理される前に分析され、およびXMLに変換されることを特徴とする請求項１乃至４のいずれかに記載のシステム。
【請求項６】
前記比較手段はセル内の値と式の両方の変更を検出することを特徴とする請求項１乃至５のいずれかに記載のシステム。
【請求項７】
前記比較手段は、最新のセル位置が以前のセル位置よりも大きい場合に、記録はデータが追加されたことを示し、最新のセル位置が以前のセル位置よりも小さい場合に、記録はデータが削除されたことを示すことを特徴とする、請求項１乃至６のいずれかに記載のシステム。
【請求項８】
前記監視手段は、前記監視手段が監視するようになっているファイルを生成するネットワーククライアントとは非同期に動作するようにしたことを特徴とする請求項１乃至７のいずれかに記載のシステム。
【請求項９】
請求項１乃至８のいずれかに記載のシステムの監視手段を形成し、コンピュータハードウェアにおいて実行可能なコンピュータプログラム製品。
【手続補正２】
【補正対象書類名】明細書
【補正対象項目名】０００３
【補正方法】変更
【補正の内容】
【０００３】
スプレッドシートは、個人のデータの迅速な計算を行うために用いられるツールとして開発された。これに対し、組織の運営に重要なデータ及び機能は、従来、特定の管理された動作をこれらデータ上で実行するためにプログラマーが開発してきたコンピュータアプリケーションをサポートするデータベースに保存されるものであった。パーソナルコンピュータのパワーの拡大に伴い、コンピュータスプレッドシートは数多くの組織で遍在的になった。従って実際、多くの組織はこのような従来のデータ管理モデルに従わなくなってきている。かつて、プログラムされたデータベースではできない計算を行うために急いで作られたスプレッドシートが、今ではその作成者の業務に中心的な位置を占める必須のツールとなり、実際、ビジネスの運営においても中心的な位置を占めるようになってきている。
【特許文献１】米国特許第５３０３１４６号明細書
【非特許文献１】A paper by Paul Goldwater and Lois S. Mahoney “Collaborate on Spreadsheets Journal of Accountancy Online Issues, January 2004
【非特許文献２】OASIS Open Document Essentials- Using OASIS Open Document XML by J. David Eisenberg, 9 December 2003, Chapter 4 “Text Documents”
【手続補正３】
【補正対象書類名】明細書
【補正対象項目名】０００６
【補正方法】変更
【補正の内容】
【０００６】
どんな特定の時点におけるスプレッドシートの状態でも再現でき、かつ状態間の変化を質問できるような方法で、スプレッドシートにおいて行われる動作を記録するメカニズムを提供することが有利であると正しく理解した。この際、スプレッドシートの魅力である本来の柔軟性を失わないようにすることが非常に望ましい。
非特許文献１には、複数のユーザに使用されるスプレッドシート内で変更をトラッキングする、Microsoft Excel（商標）などのシステムが記載されている。全ての変更が引き起こされるにつれて、モニタリングおよびストアリングすることによって動作する。示されている図５によると、変更はスプレッドシートのバージョンの形態で記録される。非特許文献２には、実質的に同じであるテキストドキュメントに関係してOpenOffice．org内で使用されるトラッキング機能が第6ページに記載されている。
特許文献１には、様々なバージョンまたはスプレッドシートモデルの「scenarios」を作成および管理するスプレッドシート内のいわゆる「scenario management」が記載されている。スプレッドシートの補正バージョンは、ベースバージョンと比較されてセルの値の差分を決定し、異なるscenariosはベースバージョンからの変更としてストアされる。セル変更は、差分または「delta」として記録されてもよい。システムは「what if?」タイプの分析を提供する。
【手続補正４】
【補正対象書類名】明細書
【補正対象項目名】０００７
【補正方法】変更
【補正の内容】
【０００７】
第１の形態に基づく本発明は、それぞれが複数のセルを含む１つまたは複数のスプレッドシートのデータを監視および監査するためのシステムを提供し、このシステムは、スプレッドシートデータを含むファイルを格納し得るファイルストアと、データベースと、監視手段とを備え、その監視手段は、ファイルストア内のスプレッドシートデータの変更を検出し、その変更をデータベースに記録するようにする。
監視手段は、ファイルストア内の連続したバージョンのファイルを比較するように動作可能な比較手段を含む。これにより、システムが同じファイルの連続して保存されたバージョン間の相違を決定することを可能にしている。さらに詳しくは、比較手段は最新のバージョンの各セルを以前のバージョンの対応するセルと比較し、セルの内容が変更されたことを決定した場合は、変更の記録を作成する。したがって、変更はセル−セル基準に記録され得る。記録は、変更の性質を分類するデータを含んでいる。
【手続補正５】
【補正対象書類名】明細書
【補正対象項目名】０００９
【補正方法】変更
【補正の内容】
【０００９】
システムによって生成された記録を検査することにより、スプレッドシートファイルになされた変更の性質を質的に理解することができる。変更の性質は：データ追加、データ変更、データ削除、関数追加、関数変更、関数削除、データから関数へ、関数からデータへ、セルエラー、関数再計算、スクリプト変更、外部参照変更、指名範囲変更、リンク変更、パスワード変更、シート追加、シート削除、シート名称変更、スプレッドシート名称変更、スプレッドシート削除、スプレッドシート追加、のうちの１つまたは２つ以上に分類することができる。実施例の全てがこれらの分類の全てを有するわけではなく、実施例によっては上記リストにない分類を含んでいてもよい。記録には、いつ変更がなされたかを示すタイムスタンプや変更を行ったユーザーの身元など、追加データが含まれていてもよい。
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】変更
【補正の内容】
【００１５】
この問題は本発明を具現するシステムを使用することによって改善され得る。データベースはコードになされた変更の履歴を含み、コードの一定期間における発展及び進化を監視及び監査することができるようにする。
別の形態における本発明は、コンピュータのハードウェアで実行可能であり、本発明の監視手段を形成するコンピュータプログラム製品を提供する。
【手続補正１０】
【補正対象書類名】明細書
【補正対象項目名】００１６
【補正方法】削除
【補正の内容】
【手続補正１１】
【補正対象書類名】明細書
【補正対象項目名】００１７
【補正方法】変更
【補正の内容】
【００１７】
本発明の実施例の動作によりネットワークのクライアントの動作に干渉することは望ましくなく、本実施例の存在はクライアントのユーザーにはできる限り透明であることが望ましい。このため、本発明の実施例は、ネットワークのクライアントとは非同期に動作することがきわめて望ましい。特に、本実施例がファイルストアに格納されたファイルを処理する間、クライアントの動作が遮断されるべきではない。
【手続補正１２】
【補正対象書類名】明細書
【補正対象項目名】００２１
【補正方法】変更
【補正の内容】
【００２１】
図４に示すように、システムはターゲットのネットワーク環境をスキャンし、監視されるべきファイル全てのリストを引き出す。本発明では、前回スキャン以降新たに作成されたファイルの存在、削除されたファイルの存在を特定する。このスキャンにより、自動ソフトウェアツールまたはビジネスが処理開始（図１）やファイル維持（図２）のためにファイルの取り込みをトリガーすることができるレポートを作成する。
図面の詳細な説明
後の記述は、図面を参照し、参照符号を使用してプロセス中のステートまたはステップである図中のブロックを識別する。上述されたように、図１は、発明の実施形態のハイレベルな概略図である。図１に示されているように、ビジネスデスクトップおよびネットワーキング環境に関連して、発明の好ましい実施形態はターゲット環境１０１内で機能する。
システムの第1の機能は、ターゲット環境１０２内の全てのファイルを識別することである。これは、以下に記述するように、図４内に詳細に示されている。システムの次の機能は、マネージメント１０３の範囲を定義およびセットすることである。これは、特別なファイル、ファイルのネストまたはドメインおよびトリガイベントがマネージメントについて選択１０３されることを許容する。システムの次の機能は、ネットワーク１０４を越えたファイルをキャプチャすることである。このプロセスは、ネットワークにログされた個々のPC内に位置するファイルをキャプチャすることを含む。このプロセスは、図３に詳述されている。システムの次の機能は、ファイルおよびファイルの内容１０５のデータベースを構築することである。システムのさらなる機能は、データを集計し、分散データ１０６の中央集約ストアを作成することである。重要な並行する機能は、データの維持（図１のブロック１０７および図３の３１０）であり、図１の実施形態内のデータ維持のプロセスを示す、後述する、図２に詳細に示される。マネージメント下の様々なファイルが、集合的にファイルストアを構成する、ネットワークを越えたいくらかの異なるPC内にストアされてよい（ブロック１０４として表される）。
図1および特にブロック１０８を再び参照すると、システムは何のファイルが存在するか１０９、ファイルに何の変更が起こったか１１０、および誰がデータをマニピュレートしているか１１１を知らなければならない。このために、全てのデータの監査証跡およびアクティビティの履歴が構築され１１２−１１３、データがシステム１１４によって分析される。
上述のプロセスから結果的に生じるデータが得られるように、システムの次の機能はデータへのポータルアクセスを形成する１１５。ポータル１１６を経由したデータへのアクセスが与えられるかもしれない。他の可能な機能は、報告ツールの提供とファイルまたはアプリケーションを復元する能力である。
図１および図２のプロセス内にストアされたデータの維持に関与する機能は、ここでさらに詳しく説明される。第１のステップとして、上述のように例えばファイル保存機能であり得る、トリガイベント２０１が発生する。つぎに管理下のファイルが取り込まれ２０２、ワークブック２０４を含む様々な部門２０３からの図３に詳述される。例えば、図２に記載されるように、１つのワークブック２が（ｂ）部門に位置し得る一方で、２つのワークブックが（ａ）部門に位置し得る。データ維持の次のステップ２０５において、取り込まれたファイルの内容がＸＭＬに変換される。次のステップ２０６において取り込まれたファイルは、以前のバージョンのファイルと比較されて、発生した変更が探知される。これらの変更が取り込まれ２０７、データベースに入力される２０８。データへのポータルアクセスが形成され２０９、ポータルからのデータへのアクセス２１０が提供される。報告ツール２１１はシステムによってまた提供される。
図１においてファイルを取り込むことに関連した機能は、図３に図示されている。このプロセスは適切なドメインの選択およびアクセス３０１、ワークブック３０４を含む様々な部門からの図４に示されるようなファイルの存在特定３０２ｍファイル取得３０５、管理用ファイル選択３０６、およびファイル内容をＸＭＬに変換すること３０７を含んでいる。バイナリ内に保持されたファイルの親バージョンが取り込まれ３０８、データベース入力３０９される。
ネットワークにログオンされる各ＰＣを含むターゲット環境におけるネットワークを越えてファイルを識別することに関連した機能は、図４に図示される。このプロセスは、ターゲット環境内の適切なドメインの選択およびアクセス取得４０１と、全てのエクセルファイルについてネットワークの探知４０２を含む。このプロセスは複数スキャンを行い動作があるかチェックするサブプロセス４０３、新規作成されたファイルがあるかチェックするサブプロセス４０４、見つからなかったファイルがあるかチェックするサブプロセス４０５を含んでいる。これらのサブプロセスの結果は、見つかったファイルおよび動作につきレポート作成し４０６、ビジネス用にレポート作成する４０７ために使用される。このレポートは、ターゲット環境１０２内の全てのファイルを識別し、図３中のログオンされる個々のＰＣを含むネットワーク１０４を介したファイルの取り込みを可能にする。
【手続補正１３】
【補正対象書類名】明細書
【補正対象項目名】００３０
【補正方法】変更
【補正の内容】
【００３０】
図７は、全てのタスクが導出される基となる親クラスの構造を図示するものである。各タスクオブジェクト３６により４つの手法が示されている。それらは、操作タスク、開始タスク、実行タスク、終了タスクである。操作タスクは、非同期フレームワークがオブジェクトを開始するための方法である。またこれは、トレーシングコードへのログ記入も行う。タスクが処理中に用いる状態変数を含むトランザクション状態オブジェクトTransaction State Object（TSO）も入力として受け付ける。開始タスク手法は、実行のコンフィギュレーション変数を設定する。実行タスクは、タスクを完了するための全ての機能を行う。終了タスクは、終了動作を全て行う。
【手続補正１４】
【補正対象書類名】明細書
【補正対象項目名】００４１
【補正方法】変更
【補正の内容】
【００４１】
リミットチェッカー：このクラスは、データストア内の変更の種類を監視し、特定のターゲットに対して警告を発する。
図９から図１４は、図８の様々なクラスの操作を図示するものである。これらの図を参照すると、各ケースにおいて、操作タスクメソッド５１０は、ログエントリをトレーシングコード内にするログトレースコール機能５１２をコールする。状態確認オペレーション５１４もまた実行される。開始タスクメソッド５１６は初期変数を設定し５８１、キュー設定を形成する５２０。メタ格納部２６は開始時状態に設定５２２を含んでいる。タスクが完了すると、終了タスクメソッド５２４が、メタ格納部２６内に完了状態を設定する５２６。
図９は図８のファイル検索のクラスのオペレーションを図示している。ファイル検索クラス実行タスクメソッド５３０はファイルを検索する機能５３２と、トランザクション状態オブジェクト(TSO)を経由してファイルが存在するかチェックする機能、非同期フレームワーク３０にファイルを追加する機能を含んでいる。
図１０において図示されるように、変換クラス実行タスクメソッドは、ワークブック（WB）を処理する機能５４０を含んでいる。これはワークブックを開く機能５４２、ワークブックの保護解除する機能５４４、ワークシート（WS）動作リストを計算する機能５４６、ワークブック内に氏名範囲を作成する機能５４８、ワークブック内にマクロを分割する機能５５０、およびXMLファイルとしてワークブックを保存する機能５５２を含んでいる。実行タスクメソッドはXMLワークシートを分割する機能５５４、XMLヘッダーを処理する機能５５６、および各ワークシートをフレームワークに追加する機能５５８を含んでいる。この最後の機能において、比較タスクを発動するトランザクション状態オブジェクト（TSO）は、非同期フレームワーク３０に発行される。非同期巣フレームワーク（AF）結果を取得する機能５６０において、スプレッドシート内の変更を表す「デルタ」のXMLファイルネームを含む比較タスクは、非同期フレームワークから戻されて、ロードデータセット５６２を生成する。各マクロはトランザクション状態オブジェクトをマクロ分解クラス５６６に発行することによって処理され、バルクロード５６８はトランザクション状態オブジェクトをバルクローダクラスに発行することによって実行される。
図１１に図示されるように、マクロ分解実行タスクメソッドは、スクリプトのチェックサムが違うかチェックする機能５７０を含んでいる。トランザクション状態オブジェクトはメタ格納部２６内にファイル格納する機能５７２およびソースコード制御システム４０によって発行される。非同期フレームワーク内でマクロリミットの要求するために機能５７４はフレームワーク３０に提供される。
図１２に図示されるように、比較クラス実行タスクメソッドはメタ格納部２６からワークシートのタイムポイントバージョンを取得する機能５８０を含んでいる。チェックサムをチェックする機能５８２、ワークシートを比較する機能５８４、処理要旨を設定する機能５８６、および比較からの結果のデルタファイル位置リターンの機能５８８も提供される。チェックサムをチェックする機能５８２は、５９０において示されるように、チェックサムが同じであれば「変更なし」と設定する。ワークシート比較機能５８４は、XML要素を追加するための結合されたプロセス５９２を有する。
図１３に図示されるように、大量ロードクラス実行タスクメソッドは、スプレッドシート比較から生成された各デルタファイルを非同期フレームワーク３０に追加するための機能を含んでいる。ロード機能はメタ格納部２６にデータを提供する。ある機能は、非同期フレームワークからの結果を待つ。
最後に、図１４に図示されるように、XMLストレージクラス実行タスクメソッドはXMLファイルを圧縮する機能６１０を含んでいる。圧縮されたXMLファイルは、ファイル格納機能６１２によってメタ格納部２６に格納される。メタ格納部から前ファイルを消去する機能６１４もまた実行される。
【手続補正１５】
【補正対象書類名】明細書
【補正対象項目名】００４２
【補正方法】変更
【補正の内容】
【００４２】
本実施例にウェブベースのインターフェースが備えられ、ユーザーがそこからデータベース内のデータにアクセスできる場合、これによってスプレッドシート動作の全てを監視できる中心ポイントを提供する。監視サーバー１６（図５参照）において実行される処理は、データベースに適用されるクエリーを生成し、これらクエリーの結果を基に、ウェブサーバー３８によってウェブブラウザに提供されるページが生成される。クエリーの範囲と生成されるレポートとには、本質的に制限はない。これらは、システムの特定のユーザーの特定の要求に応じることができる。また。同じインターフェースを、システムの構成と維持とに用いることもできる。ウェブベースのインターフェースをデータベースに設置することは日常的に行われる業務であり、ここではこれ以上の細かい説明は行わない。
【手続補正１６】
【補正対象書類名】明細書
【補正対象項目名】００４５
【補正方法】変更
【補正の内容】
【００４５】
図１５は、どのファイルが監視されているかをユーザーが見ることができ、およびファイルがリンクされている場合にはリンクされたファイルのヒエラルキーをユーザーが見ることができるスクリーンを示す。
【手続補正１７】
【補正対象書類名】明細書
【補正対象項目名】００４６
【補正方法】変更
【補正の内容】
【００４６】
図１６は、スプレッドシート内の特定のセルの値が、時間を経るにつれどのように変遷したかを、ユーザーが監視することができるスクリーンを示す。このスクリーンでは、値はグラフによって示されている。
【手続補正１８】
【補正対象書類名】明細書
【補正対象項目名】００４７
【補正方法】変更
【補正の内容】
【００４７】
図１７は、時間を経るにつれスプレッドシートになされた変更の要旨をユーザーに示すスクリーンを示す。各変更の性質及び変更を行った人が特定されている。
【手続補正１９】
【補正対象書類名】明細書
【補正対象項目名】００４８
【補正方法】変更
【補正の内容】
【００４８】
図１８は、本発明のソースコード制御の形態を示している。図１９では、右手側の画面が現バージョンのプログラムコードの一部を表示し、左手側の画面は前バージョンのコードを表示している。
かくして、図示されたシステムは、各スプレッドシートが従来の態様で複数のセルから構成されている、スプレッドシート内のデータをモニタリングおよび監査するために有利なシステムを提供する。システムは、クライアントマシン１０および／またはファイルサーバ１４内で実施されてもよいファイルストアを含んでいる。ファイルストア内に、スプレッドシートデータを含んでいるファイル２０が格納される。
システムはメタ格納部２６内のデータベースと、ウォッチングサービス２２を含む監視アレンジメントとを提供する。監視アレンジメントはファイルストア内のスプレッドシートデータにおける変更を検出し、検出された変更をデータベースに記録するように動作する。データベースはこの目的のために使用されることを注意されたい（上述のとおり、従来技術におけるトラッキングされたデータはスプレッドシート自体に格納される。）
監視手段は、比較機能２０６および８４を含んでいる。これはファイルストア内のファイルの連続したバージョンを比較する、すなわち、最新のバージョンを以前のバージョンと比較する。（上述したように、従来技術のシステムは、実行された全ての変更をトラッキングすることを企図しており、最新のバージョンを以前のバージョンと比較するは企図していない。）
比較は、最新のバージョンにおける各セルを以前のバージョンにおける対応するセルと比較することを意味する。セルが変更されたという内容を決定する場合、比較機能はデータベース内に保持された変更の記録を作成する。
各変更の性質は分類される。データベースに格納される変更の記録は、変更の性質を分類するデータを含んでいる。
このシステムにおいて、比較機能は、セル内で、値の変更だけでなく、式の変更をも検出する。
【手続補正２０】
【補正対象書類名】明細書
【補正対象項目名】００５０
【補正方法】変更
【補正の内容】
【００５０】
本発明の実施例を例示として、添付の図面を参照にして詳述する。ここで
【図１】本発明の実施例の概略を示す高レベル模式図である。
【図２】図１の実施例のデータ維持プロセスを示す図である。
【図３】図１の実施例のファイルのキャプチャプロセスを示す図である。
【図４】図１の実施例の部分を示す図である。
【図５】本発明が実施された組織内におけるコンピュータネットワークの全体図である。
【図６】本発明の実施例の主要機能部を示すブロック図である。
【図７】他のタスクのクラスが導出される基となる、基本クラスを示す図である。
【図８】種々のタスクのクラスを示す図である。
【図９】ファイル検索クラスの動作を示す図である。
【図１０】変換クラスの動作を示す図である。
【図１１】マクロ分解クラスの動作を示す図である。
【図１２】比較クラスの動作を示す図である。
【図１３】大量ロードクラスの動作を示す図である。
【図１４】XML保存クラスの動作を示す図である。
【図１５】本実施例の動作中に生成される種々のディスプレイのスクリーン図である。
【図１６】本実施例の動作中に生成される種々のディスプレイのスクリーン図である。
【図１７】本実施例の動作中に生成される種々のディスプレイのスクリーン図である。
【図１８】本実施例の動作中に生成される種々のディスプレイのスクリーン図である。
【手続補正２１】
【補正対象書類名】図面
【補正対象項目名】図１
【補正方法】変更
【補正の内容】
【図１】
2007522575.tif 000001
【手続補正２２】
【補正対象書類名】図面
【補正対象項目名】図２
【補正方法】変更
【補正の内容】
【図２】
2007522575.tif 000002
【手続補正２３】
【補正対象書類名】図面
【補正対象項目名】図３
【補正方法】変更
【補正の内容】
【図３】
2007522575.tif 000003
【手続補正２４】
【補正対象書類名】図面
【補正対象項目名】図４
【補正方法】変更
【補正の内容】
【図４】
2007522575.tif 000004
【手続補正２５】
【補正対象書類名】図面
【補正対象項目名】図６
【補正方法】変更
【補正の内容】
【図６】
2007522575.tif 000005
【手続補正２６】
【補正対象書類名】図面
【補正対象項目名】図９
【補正方法】変更
【補正の内容】
【図９】
2007522575.tif 000006
【手続補正２７】
【補正対象書類名】図面
【補正対象項目名】図１０
【補正方法】変更
【補正の内容】
【図１０】
2007522575.tif 000007
【手続補正２８】
【補正対象書類名】図面
【補正対象項目名】図１１
【補正方法】変更
【補正の内容】
【図１１】
2007522575.tif 000008
【手続補正２９】
【補正対象書類名】図面
【補正対象項目名】図１２
【補正方法】変更
【補正の内容】
【図１２】
2007522575.tif 000009
【手続補正３０】
【補正対象書類名】図面
【補正対象項目名】図１３
【補正方法】変更
【補正の内容】
【図１３】
2007522575.tif 000010
【手続補正３１】
【補正対象書類名】図面
【補正対象項目名】図１４
【補正方法】変更
【補正の内容】
【図１４】
2007522575.tif 000011
【手続補正３２】
【補正対象書類名】図面
【補正対象項目名】図１５
【補正方法】変更
【補正の内容】
【図１５】
2007522575.tif 000012
【手続補正３３】
【補正対象書類名】図面
【補正対象項目名】図１６
【補正方法】変更
【補正の内容】
【図１６】
2007522575.tif 000013
【手続補正３４】
【補正対象書類名】図面
【補正対象項目名】図１７
【補正方法】変更
【補正の内容】
【図１７】
2007522575.tif 000014
【手続補正３５】
【補正対象書類名】図面
【補正対象項目名】図１８
【補正方法】変更
【補正の内容】
【図１８】
2007522575.tif 000015